(57)【要約】【課題】光信号のパワーレベルを自動的に適正に調節し、受信エラーおよび構成要素の損傷のおそれを低減する。【解決手段】第２のノード２は、参照信号光と波長多重光とが合波されて生成された合成多重光を減衰させることが可能な可変光減衰器７を有する。可変光減衰器７から出力された合成多重光から波長多重光と参照信号光が分離され、参照信号光のパワーレベルがレベル検出回路１１により検出される。制御回路１３は、レベル検出回路１１の検出結果に基づいて可変光減衰器７の減衰特性を制御する。【選択図】        図１
2004320483.tif 000002
【特許請求の範囲】
【請求項１】
波長多重光の各成分光の波長とは異なる波長を有する参照信号光と前記波長多重光とが合波されて生成された合成多重光を、光伝送路から受ける波長多重光伝送装置において、
前記光伝送路から受けた前記合成多重光を減衰させることが可能な可変光減衰器と、
前記可変光減衰器から出力された前記合成多重光から前記波長多重光と前記参照信号光を分離する光分波部と、
前記光分波部から出力された前記参照信号光を光電変換する受光素子と、
前記受光素子が出力する電気信号から前記参照信号光のパワーレベルを検出するレベル検出器と、
前記レベル検出器の検出結果に基づいて前記可変光減衰器の減衰特性を制御する制御部とを備えたことを特徴とする波長多重光伝送装置。
【請求項２】
レベル検出器の検出結果が閾値を超えた場合に、波長多重光伝送装置の光出力を停止するかそのレベルを低下させる光出力停止部を備えたことを特徴とする請求項１記載の波長多重光伝送装置。
【請求項３】
レベル検出器の検出結果に基づいて参照信号光の断絶および伝送を検出する参照信号断検出器を備えており、
制御部は、波長光多重伝送装置への合成多重光の入力直後に前記レベル検出器の検出結果に基づいて可変光減衰器の減衰特性を高速で調節する高速駆動部と、前記レベル検出器の検出結果が第２の閾値未満になった後に前記レベル検出器の検出結果に基づいて可変光減衰器の減衰特性を低速で調節する低速駆動部とを備え、
前記参照信号断検出器による前記参照信号光の断絶の検出の後には、前記制御部は可変光減衰器の減衰特性を維持し、前記参照信号断検出器による前記参照信号光の伝送再開の検出の直後には、前記レベル検出器の検出結果に基づいて前記高速駆動部により可変光減衰器の減衰特性を高速で調節することを特徴とする請求項１記載の波長多重光伝送装置。
【請求項４】
レベル検出器の検出結果に基づいて参照信号光の断絶および伝送を検出する参照信号断検出器と、
前記参照信号断検出器により前記参照信号光の断絶が検出されると、波長多重光伝送装置の光出力を停止するかそのレベルを低下させる光出力停止部を備えたことを特徴とする請求項１記載の波長多重光伝送装置。
【請求項５】
第１のノードと、第２のノードと、前記第１のノードおよび前記第２のノード間を結ぶ光伝送路とを備えた波長多重光通信システムにおいて、
前記第１のノードが、参照信号発生器と、光合波器と、光増幅器とを備え、
前記参照信号発生器は、波長多重光の各成分光の波長とは異なる波長を有しており光強度変調がされた参照信号光を生成し、
前記光合波器は、前記参照信号光を前記波長多重光と合波し、
前記光増幅器は、前記光合波器から出力された合成多重光を一括増幅し、
前記第２のノードが、可変光減衰器と、光分波部と、バンドパス光フィルタと、受光素子と、レベル検出器と、比較器と、制御部とを備え、
前記可変光減衰器は、前記第１のノードから前記光伝送路を介して受けた前記合成多重光を減衰させることが可能であり、
前記光分波部は、前記可変光減衰器から出力された前記合成多重光から前記波長多重光と前記参照信号光を分離し、
前記受光素子は、前記光分波部から出力された前記参照信号光を光電変換し、
前記レベル検出器は、前記受光素子が出力する電気信号から前記参照信号光のパワーレベルを検出し、
前記制御部は、前記レベル検出器の検出結果に基づいて前記可変光減衰器の減衰特性を制御することを特徴とする波長多重光通信システム。
【発明の詳細な説明】
【０００１】
【発明の属する技術分野】
この発明は、伝送路損失の経時変動を抑制する波長多重光伝送装置および波長多重光通信システムに関するものである。
【０００２】
【従来の技術】
波長多重は、波長分割多重（ＷＤＭ：Ｗａｖｅ  Ｄｉｖｉｓｉｏｎ  Ｍｕｌｔｉｐｌｅｘｉｎｇ）とも呼ばれ、波長が異なる複数の光信号を一つの光ファイバで多重送信する光伝送技術である。波長多重光通信システムの中継装置では、伝送路での損失を補償するために光増幅器が使用されている。大容量通信のためには、波長多重光伝送装置の光増幅器は多くの波長に対してできる限り一様な利得を与えることができるのが望ましい。
【０００３】
また、波長多重光伝送装置の光増幅器の利得は、光増幅器の信号毎の出力が一定になるように適切に調節できるのが望ましい。光伝送路上の損失の経時的な変動、または伝送される光信号数の増減により、光伝送路上で伝送される光のパワーレベルが変化しうるから、かかる光のレベルが変化する環境では、信号対雑音比の劣化に起因するエラーを防止し、信号波長多重光伝送装置から波長多重光を受ける次段の伝送装置を保護するためである。
【０００４】
特に、温度変化により伝送特性が変化しうる陸上の波長多重光通信システムでは、光伝送路上の損失が変動しやすい。また、陸上系の波長多重光通信システム、特にリングネットワークシステムは、柔軟なシステムの構築が要求されるために、中継装置の数や、ノード間の伝送距離が大きく異なり、各光中継装置やＯＡＤＭ（ｏｐｔｉｃａｌ  ａｄｄ／ｄｒｏｐ  ｍｕｌｔｉｐｌｅｘｅｒ）装置への光入力レベルが異なる。
【０００５】
波長多重光伝送装置の光増幅器の利得を調節する試みが特許文献１に記載されている。この文献に記載された波長多重光通信システムでは、送信側ターミナル局は、伝送対象の波長多重光の各成分光の波長とは異なる波長を有しておりかつ低周波のトーン信号で光強度変調がされたパイロット信号光を生成し、参照信号光を波長多重光と合波し、これにより得られた合成多重光を一括増幅して光伝送路上に送出する。中継局および受信側ターミナル局にも、光増幅器が設けられており、送信側ターミナル局、中継局および受信側ターミナル局は、自局の光増幅器の利得を制御する回路と、光増幅器から出力された合成多重光からパイロット信号光のトーン信号成分を分離する機構を備えている。そして、パイロット信号光のトーン信号成分の振幅を検出しながら、トーン信号成分の振幅が一定になるように、光増幅器の利得を制御する。
【０００６】
【特許文献１】
特開２００１−２５７６４６号公報（第２−５頁、図１）
【０００７】
【発明が解決しようとする課題】
上記の技術では、光増幅器で増幅されたパイロット信号光の振幅レベルに基づいて利得制御回路で光増幅利得の制御を行っている。しかし、光増幅器の入力レベルが適正なレベルに比較して高い場合、光増幅器は利得飽和を起こし、大きな利得偏差を引き起こす可能性が高い。生じた大きな利得偏差により光増幅器から出力されたパイロット信号光のパワーが小さくなり光制御回路の制御対象外レベルで保持されることがありうる。これでは、信号対ノイズ比が劣化して受信エラーが増大したり、増幅した波長多重光を受ける次段の伝送装置が損傷を受けたりするおそれがある。
【０００８】
光増幅器の利得偏差を小さくする（多くの波長にわたって利得をできるだけ一様にする）には、光増幅器の内部の励起レーザダイオードを適切に制御する必要がある。しかし、光増幅器から出力されたパイロット信号光の振幅レベルに基づいて、励起レーザダイオードを制御したのでは、却って利得偏差を大きくしてしまう可能性がある。これでは、エラーが増大し、多段中継が困難になるおそれがある。
【０００９】
この発明は上記の課題を解決するためになされたものであり、光増幅器、ＯＡＤＭ装置または次段の伝送装置に入力される光信号のパワーレベルを自動的に適正に調節し、受信エラーおよび構成要素の損傷のおそれを低減することができる波長多重光伝送装置および波長多重光通信システムを得ることを目的とする。
【００１０】
【課題を解決するための手段】
この発明に係る波長多重光伝送装置は、波長多重光の各成分光の波長とは異なる波長を有する参照信号光と前記波長多重光とが合波されて生成された合成多重光を、光伝送路から受ける波長多重光伝送装置において、前記光伝送路から受けた前記合成多重光を減衰させることが可能な可変光減衰器と、前記可変光減衰器から出力された前記合成多重光から前記波長多重光と前記参照信号光を分離する光分波部と、前記光分波部から出力された前記参照信号光を光電変換する受光素子と、前記受光素子が出力する電気信号から前記参照信号光のパワーレベルを検出するレベル検出器と、前記レベル検出器の検出結果に基づいて前記可変光減衰器の減衰特性を制御する制御部とを備えたものである。
【００１１】
【発明の実施の形態】
以下、図面を参照しながら、この発明の様々な実施の形態を説明する。
実施の形態１．
図１はこの発明の実施の形態１に係る波長多重光通信システムの概略図である。この図は、送信ターミナル局としての第１のノード１から中継局としての第２のノード（波長多重光伝送装置）２までの波長多重伝送を示している。
【００１２】
第１のノード１は、参照信号発生器３と光カプラ（光合波器）４と光増幅器５を備えている。参照信号発生器３は、伝送対象の波長多重光の各波長λ１〜λＮとは異なる波長λＭを有しており光強度変調がされた参照信号光を生成する。図示しないが、参照信号発生器３は、光源と光強度変調回路とを備えており、光源は、波長多重光では使用されない異なる波長を持つ光を発生し、光強度変調回路は、波長多重光の伝送速度よりも十分低い周波数の信号により光強度変調を光源からの光に対して施す。このようにして光強度変調がされた参照信号光が生成される。ここで使われる低周波の信号は、参照信号光とノイズを区別するために役立つトーン信号である。
【００１３】
光カプラ４は、参照信号発生器３から出力された参照信号と伝送対象の波長多重光を合波する。この結果生じた光を便宜的に合成多重光と呼ぶ。光増幅器５は、光カプラ４から出力された合成多重光のパワーを一括的に増幅する。光増幅器５で増幅された合成多重光は光ファイバすなわち光伝送路６を介して、次段の第２のノード２に伝送される。
【００１４】
第２のノード２は、可変光減衰器７と、光分岐カプラ（光分波部）８と、ＢＰＦ（バンドパス光フィルタ、光分波部）９と、ＰＤ（ｐｈｏｔｏ  ｄｉｏｄｅ、受光素子）１０と、レベル検出回路（レベル検出器）１１と、比較器１２と、制御回路（制御部）１３と、可変光減衰器７の駆動回路（制御部）１４と、光増幅器１５を備える。可変光減衰器７は、駆動回路１４により駆動されて第１のノード１から光伝送路６を介して受けた合成多重光のパワーを一括的に減衰させることが可能であり、その減衰特性は制御回路１３によりフィードバック制御されるようになっている。
【００１５】
光分岐カプラ８は、可変光減衰器７から出力された合成多重光から一部を分岐させる。光分岐カプラ８で分岐された一部の光は光ファイバでＢＰＦ９に送られ、他の大部分は光ファイバで光増幅器１５に送られる。光増幅器１５は光分岐カプラ８から受けた合成多重光をさらに次の段の波長多重光伝送装置（例えば他の中継局または受信ターミナル局）に伝送するために一括的に増幅する。
【００１６】
ＢＰＦ９は、分岐された一部の合成多重光のうち波長λＭを持つ参照信号光のみを通過させる。ＰＤ１０は、ＢＰＦ９から出力された参照信号光を光電変換し、レベル検出回路１１は、ＰＤ１０が出力する電気信号から参照信号光のピークのパワーレベルを検出する。ここで、光伝送路６を介して伝送される合成多重光ひいてはここに含まれた波長λＭの光は、本来の参照信号光だけでなくノイズを含む可能性があるので、レベル検出回路１１は、参照信号光に重畳された上記のトーン信号の振幅からピーク検出を行うことにより、パワーレベルを検知する。
【００１７】
レベル検出回路１１の検出結果（電圧）は比較器１２に供給される。比較器１２は、検出結果を複数の閾値（設定電圧）と比較し、比較結果を制御回路１３に通知する。比較器１２の比較により参照信号光のパワーレベルがどの段階すなわち範囲にあるかが特定され、制御回路１３は、比較器１２で特定された段階に基づいて駆動回路１４を制御することにより、可変光減衰器７の減衰特性を制御する。具体的には、制御回路１３は、現在の可変光減衰器７にとって適切な減衰量を駆動回路１４に通知し、駆動回路１４は可変光減衰器７を制御し、光増幅器１５へ入力される合成多重光のパワーレベルを自動的に適正に調節する。
【００１８】
上記の手順により、光増幅器１５に過大なパワーレベルの光が入力されることが防止され、光増幅器１５の利得飽和を避けることができ、利得偏差を小さくすることができる。従って、伝送される信号の受信エラーならびに光増幅器１５および次段の伝送装置の損傷のおそれを低減することができる。第２のノード２の光増幅器１５に過大なパワーレベルの光が入力されるのを避けるためには、第２のノード２を光伝送路６に接続する前にあらかじめ光伝送路６の光損失を測定しておき、固定光減衰器で損失を補償するという方策も考えられるが、この実施の形態によれば事前に光伝送路６の光損失を測定する必要がなく、波長多重光通信システムの初期設置時または第２のノード２の増設時などの作業が容易になりその作業時間を短縮することができる。
【００１９】
なお、この実施の形態では、波長多重光と参照信号光を分離する光分波部として、光分岐カプラ８とＢＰＦ９を用いており、光分岐カプラ８は、可変光減衰器７から出力された合成多重光から分岐させ、大部分の合成多重光を光ファイバで光増幅器１５に送るようになっている。従って、次段の波長多重光伝送装置も第２のノード２と同様に参照信号光のパワーレベルに基づく可変光減衰器７の調整が可能である。
【００２０】
実施の形態２．
図２はこの発明の実施の形態２に係る波長多重光通信システムの概略図である。実施の形態２のシステムは、実施の形態１と同様の構成要素に加えて、第２のノード２の内部に出力停止駆動回路（光出力停止部）１７と第２の可変光減衰器（光出力停止部）１８とを備える。実施の形態１と共通する構成要素は、実施の形態１と同様に動作するので、その詳細な説明は省略する。
【００２１】
第２の可変光減衰器１８は、光増幅器１５の出力端に接続されており、光増幅器１５から出力された合成多重光のパワーを一括的に減衰させることができる。出力停止駆動回路１７は、制御回路１３により制御されて第２の可変光減衰器１８を駆動する。ただし、平常時は、第２の可変光減衰器１８は無効とされて光増幅器１５から出力された合成多重光をそのまま通過させるか、減衰量を小さく設定されている。
【００２２】
制御回路１３は、レベル検出回路１１の検出結果が絶対最大定格入力レベル（閾値）を超えたことを比較器１２の比較結果が示す場合に、出力停止駆動回路１７に信号を送出し、第２の可変光減衰器１８の減衰量を大きく設定する。これにより、第２のノード２の光出力を停止するかそのレベルを低下させる。最大定格入力レベルは、次の段の波長多重光伝送装置（例えば他の中継局または受信ターミナル局）が損傷を受けないように、レベル検出回路１１の検出結果について設定された値である。
【００２３】
波長多重光通信システムの初期設置時または第２のノード２の増設時などには、伝送される元の光信号の数が少ないので、伝送される光信号の数を増やすと、次の段の波長多重光伝送装置に過剰なレベルの光が入力される可能性がある。そこで、この実施の形態２では、レベル検出回路１１の検出結果が絶対最大定格入力レベルを超えた場合に、光増幅器１５の光入力レベルが適正になるまでの間、制御回路１３により第２の可変光減衰器１８の減衰量を大きく設定する。第２の可変光減衰器１８の減衰量が大きい間に、制御回路１３はレベル検出回路１１の検出結果に基づいて可変光減衰器７の減衰量を増加させてゆき、光増幅器１５への光入力レベルを適正化する。
【００２４】
一旦、光増幅器１５への光入力レベルが適正になった（レベル検出回路１１の検出結果がある閾値未満になった）ことを比較器１２の比較結果から検出した後は、制御回路１３は第２の可変光減衰器１８の減衰量を小さくし、通常出力を可能とする。このようにして、次段の伝送装置の損傷のおそれを低減することができる。
【００２５】
実施の形態３．
図３はこの発明の実施の形態３に係る波長多重光通信システムの概略図である。実施の形態３のシステムは、実施の形態１と同様の構成要素に加えて、第２のノード２の内部に、光増幅器１５の出力を直接的に規制する出力停止駆動回路（光出力停止部）１９を備える。実施の形態１と共通する構成要素は、実施の形態１と同様に動作するので、その詳細な説明は省略する。
【００２６】
光増幅器１５は、内部に励起レーザダイオード（図示せず）を備えており、その励起レーザダイオードの出力パワーレベルを変えることによって光増幅器１５の利得を変化させることが可能である。出力停止駆動回路１９は、制御回路１３により制御されて光増幅器１５内の励起レーザダイオードを駆動する。平常時は、光増幅器１５は光分岐カプラ８から受けた合成多重光をさらに次の段の波長多重光伝送装置（例えば他の中継局または受信ターミナル局）に伝送するために一括的に増幅する。
【００２７】
制御回路１３は、レベル検出回路１１の検出結果が絶対最大定格入力レベル（閾値）を超えたことを比較器１２の比較結果が示す場合に、出力停止駆動回路１９に信号を送出し、光増幅器１５のレーザダイオードを停止させ光増幅器１５の出力を停止させる。これにより、第２のノード２の光出力を停止する。光増幅器１５の出力が停止されている間に、制御回路１３はレベル検出回路１１の検出結果に基づいて可変光減衰器７の減衰量を増加させてゆき、光増幅器１５への光入力レベルを適正化する。
【００２８】
一旦、光増幅器１５への光入力レベルが適正になった（レベル検出回路１１の検出結果がある閾値未満になった）ことを比較器１２の比較結果から検出した後は、制御回路１３は出力停止駆動回路１９に別の信号を送り、通常出力を可能とする。このようにして、次段の伝送装置の損傷のおそれを低減することができる。このように、実施の形態２と同様の効果を出力停止駆動回路１９を介して光増幅器１５の励起レーザダイオードの出力を停止することで得られる。
【００２９】
実施の形態４．
図４はこの発明の実施の形態４に係る波長多重光通信システムの概略図である。実施の形態４のシステムは、実施の形態１と同様の構成要素に加えて、第２のノード２の内部に参照信号断検出回路（参照信号断検出器）２２を備える。実施の形態１と共通する構成要素は、実施の形態１と同様に動作するので、その詳細な説明は省略する。参照信号断検出回路２２は、レベル検出回路１１の検出結果に基づいて参照信号光の断絶および伝送を検出し、その断絶および伝送を制御回路１３に通知する。
【００３０】
また、この実施の形態４の第２のノード２は、可変光減衰器７の駆動回路として高速駆動回路（高速駆動部）２０と低速駆動回路（低速駆動部）２１とを備える。高速駆動回路２０は、制御回路（高速駆動部、低速駆動部）１３の指示に従って可変光減衰器７の減衰特性を高速で調節することができる。他方、低速駆動回路２１は、制御回路１３の指示に従って可変光減衰器７の減衰特性を低速で調節することができる。
【００３１】
制御回路１３は、波長光多重伝送装置への合成多重光の入力直後には、高速駆動回路２０を使用して、レベル検出回路１１の検出結果に基づいて可変光減衰器７の減衰特性を高速で調節する。例えば、波長多重光通信システムの初期設置時、第２のノード２の増設時、または伝送路の切断などにより、第２のノード２への光入力が停止している状態からの光の入力の再開時には、高速駆動回路２０により高速で可変光減衰器７を動作させ、光増幅器１５への光入力レベルを速やかに適正化する。
【００３２】
一旦、光増幅器１５への光入力レベルが適正になった（レベル検出回路１１の検出結果がある閾値未満になった）ことを比較器１２の比較結果から検出した後は、制御回路１３は、可変光減衰器７の駆動回路を高速駆動回路２０から低速駆動回路２１に切り替える。そして、制御回路１３は、低速駆動回路２１を使用して、レベル検出回路１１の検出結果に基づいて可変光減衰器７の減衰特性を高速で調節する。
【００３３】
なんらかの原因で第２のノード２に参照信号だけが入力されなくなった場合には、参照信号断検出回路２２が参照信号の断絶を検出し、制御回路１３に通知する。すると、制御回路１３は低速駆動回路２１を制御して可変光減衰器７の減衰量を維持させる。すなわち、減衰量を変化させないように制御を行う。また、参照信号の復帰（伝送再開）を参照信号断検出回路２２が検出次第、制御回路１３は可変光減衰器７の駆動回路を高速駆動回路２０に切り替える。その後、光入力レベルが適正になったことを比較器１２で検出した後には、制御回路１３は可変光減衰器７の駆動回路を低速駆動回路２１に切り替える。
【００３４】
波長多重光通信システムの初期設置時または第２のノード２の増設時などには、伝送される元の光信号の数が少ないので、伝送される光信号の数を増やすと、次の段の波長多重光伝送装置に過剰なレベルの光が入力される可能性がある。しかし、この実施の形態では、波長光多重伝送装置への合成多重光の入力直後には、高速駆動回路２０により可変光減衰器７の減衰特性を高速で調節するので、次段の伝送装置の損傷のおそれを低減することができる。また、なんらかの原因で第２のノード２に参照信号だけが入力されなくなった場合には、可変光減衰器７の減衰量を維持することにより、多くの場合に伝送状態を持続することができる。参照信号の伝送再開の直後に高速駆動回路２０により可変光減衰器７の減衰特性を高速で調節するので、次段の伝送装置の損傷のおそれを低減することができる。
【００３５】
実施の形態５．
図５はこの発明の実施の形態５に係る波長多重光通信システムの概略図である。実施の形態５のシステムは、実施の形態２と同様の構成要素に加えて、第２のノード２の内部に参照信号断検出回路（参照信号断検出器）２２を備える。実施の形態２と共通する構成要素は、実施の形態２と同様に動作するので、その詳細な説明は省略する。
【００３６】
参照信号断検出回路２２は、レベル検出回路１１の検出結果に基づいて参照信号光の断絶および伝送を検出し、その断絶および伝送を制御回路１３に通知する。すると制御回路１３は、出力停止駆動回路１７に信号を送出し、第２の可変光減衰器１８の減衰量を大きく設定する。これにより、第２のノード２の光出力を停止するかそのレベルを低下させる。このようにして、参照信号の断絶の影響を抑制し、次段の伝送装置の損傷のおそれを低減することができる。
【００３７】
実施の形態６．
図６はこの発明の実施の形態６に係る波長多重光通信システムの概略図である。実施の形態６のシステムは、実施の形態３と同様の構成要素に加えて、第２のノード２の内部に参照信号断検出回路２２を備える。実施の形態３と共通する構成要素は、実施の形態３と同様に動作するので、その詳細な説明は省略する。
【００３８】
参照信号断検出回路２２は、レベル検出回路１１の検出結果に基づいて参照信号光の断絶および伝送を検出し、その断絶および伝送を制御回路１３に通知する。すると制御回路１３は、出力停止駆動回路１９に信号を送出し、出力停止駆動回路１９に信号を送出し、光増幅器１５のレーザダイオードを停止させ光増幅器１５の出力を停止させる。これにより、第２のノード２の光出力を停止する。このようにして、参照信号の断絶の影響を抑制し、次段の伝送装置の損傷のおそれを低減することができる。このように実施の形態５と同様の効果が得られる。
【００３９】
実施の形態７．
図７はこの発明の実施の形態７に係る波長多重光通信システムの概略図である。実施の形態７のシステムは、実施の形態１と類似するが、第１のノード１では光カプラ４に代えてＯ−ＭＵＸ（ｏｐｔｉｃａｌ  ｍｕｌｔｉｐｌｅｘｅｒ）１６を備える。Ｏ−ＭＵＸ１６は、波長多重光の各成分となる波長λ１〜λＮの光と、参照信号発生器３から出力された波長λＭを持つ参照信号光を合波する。Ｏ−ＭＵＸ１６としては、光カプラよりも波長依存性の高いＡＷＧ（Ａｒｒａｙｅｄ−Ｗａｖｅｇｕｉｄｅ  Ｇｒａｔｉｎｇ）、あるいはＷＤＭ（Ｗａｖｅｌｅｎｇｔｈ  Ｄｉｖｉｓｉｏｎ  Ｍｕｌｔｉｐｌｅｘｉｎｇ）カプラが使用しうる。その他の構成要素は、実施の形態１と同様である。この実施の形態７も実施の形態１と同様の効果を奏することが可能である。
【００４０】
この実施の形態７と同様の改変を前述した実施の形態２〜６および後述する実施の形態８に与えてもよい。すなわちこれらの実施の形態でも、波長多重光と参照信号光を合波する光カプラ４に代えて、波長多重光の各成分光と参照信号光を合波するＯ−ＭＵＸ１６を使用することができ、同様の効果を得ることができる。
【００４１】
実施の形態８．
図８はこの発明の実施の形態８に係る波長多重光通信システムの概略図である。実施の形態８のシステムは、実施の形態１と類似するが、第２のノード２では光増幅器１５の代わりにＯＡＤＭ（ｏｐｔｉｃａｌ  ａｄｄ／ｄｒｏｐ  ｍｕｌｔｉｐｌｅｘｅｒ）２３を備える。このＯＡＤＭ２３を設けたことにより、この第２のノード２では伝送する新たな光の追加および伝送された光の取り出しが可能である。その他の構成要素は、実施の形態１と同様であり同様の動作を行う。このため、この実施の形態８では、ＯＡＤＭ２３に過大なパワーレベルの光が入力されることが防止され、伝送される信号の受信エラーならびにＯＡＤＭ２３および次段の伝送装置の損傷のおそれを低減することができる。
【００４２】
この実施の形態８と同様の改変を前述した実施の形態２，４，５，６に与えてもよい。すなわちこれらの実施の形態でも、第２のノード２から出力されるべき合成多重光を一括増幅する光増幅器１５に代えて、ＯＡＤＭ２３を使用することができ、同様の効果を得ることができる。
【００４３】
なお、前述の実施の形態１〜８では、合成多重光から参照信号光を分離するための光分波部として光分岐カプラ８とＢＰＦ９の組合せを使用するが、この組合せに代えて、ＯＡＤＭを使用してもよい。
【００４４】
【発明の効果】
以上のように、この発明によれば、波長多重光の各成分光の波長とは異なる波長を有する参照信号光と波長多重光とが合波されて生成された合成多重光を減衰させることが可能な可変光減衰器と、可変光減衰器から出力された合成多重光から波長多重光と参照信号光を分離する光分波部と、光分波部から出力された参照信号光を光電変換する受光素子と、受光素子が出力する電気信号から参照信号光のパワーレベルを検出するレベル検出器と、レベル検出器の検出結果に基づいて可変光減衰器の減衰特性を制御する制御部とを備えたことにより、光増幅器、ＯＡＤＭ装置または次段の伝送装置に入力される光信号のパワーレベルを自動的に適正に調節し、受信エラーおよび構成要素の損傷のおそれを低減することができる。
【図面の簡単な説明】
【図１】この発明の実施の形態１による波長多重光通信システムを示す概略図である。
【図２】この発明の実施の形態２による波長多重光通信システムを示す概略図である。
【図３】この発明の実施の形態３による波長多重光通信システムを示す概略図である。
【図４】この発明の実施の形態４による波長多重光通信システムを示す概略図である。
【図５】この発明の実施の形態５による波長多重光通信システムを示す概略図である。
【図６】この発明の実施の形態６による波長多重光通信システムを示す概略図である。
【図７】この発明の実施の形態７による波長多重光通信システムを示す概略図である。
【図８】この発明の実施の形態８による波長多重光通信システムを示す概略図である。
【符号の説明】
１  第１のノード、２  第２のノード（波長多重光伝送装置）、３  参照信号発生器、４  光カプラ（光合波器）、５  光増幅器、６  光伝送路、７  可変光減衰器、８  光分岐カプラ（光分波部）、９  ＢＰＦ（光分波部）、１０  ＰＤ（受光素子）、１１  レベル検出回路（レベル検出器）、１２  比較器、１３  制御回路（高速駆動部、低速駆動部）、１４  駆動回路（制御部）、１５  光増幅器、１６  Ｏ−ＭＵＸ、１７  出力停止駆動回路（光出力停止部）、１８  第２の可変光減衰器（光出力停止部）、１９  出力停止駆動回路（光出力停止部）、２０  高速駆動回路（高速駆動部）、２１  低速駆動回路（低速駆動部）、２２  参照信号断検出回路（参照信号断検出器）、２３  ＯＡＤＭ。
【図１】
2004320483.tif 000003
【図２】
2004320483.tif 000004
【図３】
2004320483.tif 000005
【図４】
2004320483.tif 000006
【図５】
2004320483.tif 000007
【図６】
2004320483.tif 000008
【図７】
2004320483.tif 000009
【図８】
2004320483.tif 000010